(57)【要約】      （修正有）【課題】表示画面の前面に、透過導電フィルムなどが無いため、表示画面の画質（色純度、明るさ、コントラスト）が良く、また表示画面の画質が入力検出領域とそれ以外の場所で差がないため違和感が無く見栄えが良い入力表示システムを提供する。さらに、入力検出領域以外の場所には、電力を供給する必要が無いので、消費電力が少ない入力表示システムを提供する。【解決手段】入力表示システム１０は、表示画面１１と分割表示器と赤外線送受モジュールを備える。分割表示器は、表示画面１１に映像情報および入力関連情報を分割表示する。入力関連情報が表示された表示画面１１が、入力検出領域１３とされる。赤外線送受モジュールは、入力検出領域１３に赤外線３５、３６を格子状に送受し、赤外線３５、３６の遮られた位置を検出する。【選択図】図４
2011129012.tif 000002
【特許請求の範囲】
【請求項１】
表示画面と、
前記表示画面に映像情報および入力関連情報を分割表示する分割表示器と、
前記入力関連情報が表示された表示画面を入力検出領域として、
前記入力検出領域に赤外線を格子状に送受し、前記赤外線の遮られた位置を検出する赤外線送受モジュールとを備える入力表示システム。
【請求項２】
前記赤外線送受モジュールは、表示画面の相対する２辺にそれぞれｘ方向の発光部と受光部を、表示画面の他の相対する２辺にそれぞれｙ方向の発光部と受光部を備える、請求項１に記載の入力表示システム。
【請求項３】
前記発光部は、赤外線光源と、前記赤外線光源に光学的に結合した光導波路により形成され、前記光導波路は前記赤外線光源からの赤外線を分割して、複数の光線を生成する、請求項２に記載の入力表示システム。
【請求項４】
前記受光部は、光信号を受信する光導波路と、前記光導波路に光学的に結合した複数の光電変換素子により形成される、請求項２に記載の入力表示システム。
【発明の詳細な説明】
【技術分野】
【０００１】
本発明は、大型の表示画面にテレビ番組、案内図、企業広告などを表示し、利用者が表示画面の一部の入力検出領域をタッチ操作することによって、所望の情報を入力、表示することができる、入力表示システムに関する。
【背景技術】
【０００２】
従来、図５に示すような、タッチパネル付大画面ディスプレイ５１の画面の一部に、「子ウィンドウ」と呼ばれる入力用の小さいウィンドウ（入力検出領域５２）を表示し、入力検出領域５２内においてタッチ操作を行なう入力表示システム５０が知られている（例えば特許文献１）。入力検出領域５２（子ウィンドウ）は、ディスプレイ内の、独立した小さな矩形の表示領域である。
【０００３】
このような入力表示システム５０は、利用者が入力検出領域５２をタッチ操作するだけで、手軽に情報を入力あるいは表示することができる。そのため、このような入力表示システム５０は、双方向通信大型テレビや電子看板（digital signage）などの用途で期待されている。
【０００４】
従来の入力表示システム５０は、透明導電フィルムを用いた抵抗膜方式または静電容量方式のタッチパネル（入力検出手段）を、通常、画面全体に配置する。
【０００５】
透明導電フィルムを画面全体に配置する理由は、透明導電フィルムを画面の一部のみに配置すると、透明導電フィルムを配置した領域と、透明導電フィルムを配置していない領域とで、透過率や屈折率が異なってしまい、画面の表示品質が均一にならないためである。
【０００６】
そのため、例えば、手が届かない位置にあるため、明らかにタッチ操作を行なう可能性のない領域についても、タッチ操作を行なう領域と同じように、透明導電フィルムを設置しなければならない。
【０００７】
高価な透明導電フィルムを、タッチ操作を行なう可能性のない領域にまで設置することは、コストアップとなる。更に、タッチ操作を行なう可能性のない領域の透明導電フィルムにも、タッチ操作を行なう領域の透明導電フィルムと同じように給電すると、無駄な電力消費が生じる。
【先行技術文献】
【特許文献】
【０００８】
【特許文献１】特開２００６−０１８３４８号公報
【発明の概要】
【発明が解決しようとする課題】
【０００９】
従来の入力表示システム５０では、透明導電フィルムを用いた抵抗膜方式または静電容量方式のタッチパネル（入力検出手段）を、タッチ操作を行なう可能性の無い領域を含む、画面全体に配置しなければならない。
【００１０】
高価な透明導電フィルムを、タッチ操作を行なう可能性のない領域にまで設置することは、コストアップとなる。更に、タッチ操作を行う可能性のない領域の透明導電フィルムにも給電すると、その部分の電力消費が無駄となる。
【課題を解決するための手段】
【００１１】
本発明の要旨は次のとおりである。
（１）本発明の入力表示システムは、表示画面と分割表示器と赤外線送受モジュールを備える。分割表示器は、表示画面に映像情報および入力関連情報を分割表示する。入力関連情報が表示された表示画面が、入力検出領域とされる。赤外線送受モジュールは、入力検出領域に赤外線を格子状に送受し、赤外線の遮られた位置を検出する。
（２）本発明の入力表示システムにおいて、赤外線送受モジュールは、表示画面の相対する２辺にｘ方向の発光部と受光部をそれぞれ備える。また、赤外線送受モジュールは、表示画面の他の相対する２辺にｙ方向の発光部と受光部をそれぞれ備える。
（３）本発明の入力表示システムにおいて、発光部は、赤外線光源と、赤外線光源に光学的に結合した光導波路により形成される。光導波路は赤外線光源からの赤外線を分割して、複数の光線を生成する。
（４）本発明の入力表示システムにおいて、受光部は、光信号を受信する光導波路と、光導波路に光学的に結合した複数の光電変換素子により形成される。
【発明の効果】
【００１２】
本発明の入力表示システムは、表示画面の前面に、透過率の低い透明導電フィルムなどが無いため、表示画面の画質（色純度、明るさ、コントラスト）が良い。また、表示画面の画質が、入力検出領域とそれ以外の場所で、差がないため、違和感が無く見栄えが良い。さらに、入力検出領域以外の場所には、電力を供給する必要が無いので、消費電力が少ない。
【図面の簡単な説明】
【００１３】
【図１】本発明の入力表示システムの模式図
【図２】本発明の入力表示システムの応用例の模式図
【図３】本発明に用いられる分割表示器の機能説明図
【図４】本発明に用いられる赤外線送受モジュールの機能説明図
【図５】従来の入力表示システムの模式図
【発明を実施するための形態】
【００１４】
［入力表示システム］
図１に示すように、本発明の入力表示システム１０は、表示画面１１と、表示画面１１に映像情報および入力関連情報を分割表示するための分割表示器１２と、表示画面上に赤外線を格子状に送受して、入力検出領域１３（子ウィンドウ）を形成する赤外線送受モジュール１４とを備える。
【００１５】
図２は、本発明の入力表示システム１０の応用例である。この入力表示システム１０は空港で用いられる。表示画面１１にはフライト情報が表示される。利用者が入力検出領域１３（子ウィンドウ）をタッチ操作すると、入力検出領域１３には、フライト便番号を入力するための入力関連情報が表示される。入力関連情報は、例えばテンキーである。利用者が入力関連情報にフライト番号を入力すると、表示画面１１に、搭乗ゲートまでのルート案内情報（映像情報）が表示される。
【００１６】
このように、本発明の入力表示システム１０は、大型の表示画面１１にテレビ番組、案内図、企業広告などを表示し、利用者が入力検出領域１３をタッチ操作することによって、所望の情報を入力あるいは表示することができる。
【００１７】
［表示画面］
本発明に用いられる表示画面１１は、映像情報および入力関連情報を表示するものである。本明細書において、「映像情報」とは、静止画像や動画像に代表される情報であり、利用者の求める情報を含むものである。また、「入力関連情報」とは、文字や記号あるいは画像に代表される情報であり、利用者が入力時に使用するものである。
【００１８】
本発明の入力表示システム１０は、表示画面１１に、映像情報と入力関連情報の両方を常時表示している必要はない。例えば、表示画面１１には、通常、映像情報だけを表示しておき、必要なときのみ、入力関連情報を生成し表示させてもよい。
【００１９】
本発明に用いられる表示画面１１には、特に制限はないが、例えば、液晶ディスプレイ、プラズマディスプレイ、あるいは、電子ペーパーなどが適する。表示画面１１の対角サイズは、好ましくは、個人用途で１９インチ以上、公共用途で６０インチ以上である。
【００２０】
［分割表示器］
本発明に用いられる分割表示器１２は、表示画面１１に映像情報および入力関連情報を分割表示するものである。
【００２１】
分割表示器１２としては、例えば、特開平６−１０２８５１号公報に記載のものが用いられる。この分割表示器１２は、例えば図３に示すように、分割表示する表示データを格納するメモリ２１と、外部のデータ入力部２２から入力される表示データに基づいてメモリ２１内の表示データを書き込み、更新する作成部２３と、外部の命令入力部２４からの表示命令に基づいてメモリ２１から各表示データを取り出す取出部２５と、取出部２５から表示データを受け取り、表示処理を行なう複数の表示部２６ａ、２６ｂとを備える。表示部２６ａは、映像情報表示用の表示部であり、表示部２６ｂは、入力関連情報表示用の表示部である。
【００２２】
映像情報表示用の表示部２６ａからの画像信号により、表示画面１１が制御される。入力関連情報表示用の表示部２６ｂからの画像信号により、入力検出領域１３が制御される。
【００２３】
［赤外線送受モジュール］
本発明に用いられる赤外線送受モジュール１４は、図４に示すように、例えば、表示画面１１の相対する２辺に、ｘ方向の発光部３１と受光部３２をそれぞれ備える。また、赤外線送受モジュール１４は、表示画面１１の他の相対する２辺に、ｙ方向の発光部３３と受光部３４をそれぞれ備える。さらに、赤外線送受モジュール１４は、それらの駆動部（図示しない）を備える。
【００２４】
本発明の入力表示システム１０に用いられる赤外線送受モジュール１４は、図４に示すように、表示画面１１の表面近くに、ｘ方向の赤外線３５と、ｙ方向の赤外線３６を格子状に送受して、入力検出領域１３を形成する。
【００２５】
発光部３１、３３は、複数の赤外線光源（発光ダイオードや半導体レーザー）を、一定の間隔で一列に配置して形成される。あるいは、発光部３１、３３は、赤外線光源と、赤外線光源に光学的に結合した光導波路により形成される。この場合、光導波路は赤外線光源からの赤外線を分割して、複数の光線を生成する。
【００２６】
受光部３２、３４は、光信号を受信して電気信号に変換する複数の光電変換素子（ＣＭＯＳやＣＣＤ）を、一定の間隔で一列に配置して形成される。あるいは、受光部３２、３４は、光信号を受信する光導波路と、光導波路に光学的に結合した複数の光電変換素子により形成される。
【００２７】
入力検出領域１３を通る赤外線３５、３６を指やペンで遮ると、遮られた位置の赤外線３５、３６の強度が低下する。これを検知することにより、赤外線送受モジュール１４は、指やペンの位置（入力座標）を検出することができる。
【００２８】
本発明の入力表示システム１０において、入力検出領域１３は表示画面１１の一部に形成され、好ましくは、表示画面１１の右下に形成される。入力検出領域１３が表示画面１１に占める割合は、好ましくは１０％〜６０％であり、さらに好ましくは１０％〜３０％である。
【００２９】
本発明の入力表示システム１０は、表示画面１１の前面に、透過率の低い透明導電フィルムなどが無いため、表示画面１１の画質（色純度、明るさ、コントラスト）が良い。また、表示画面１１の画質が、入力検出領域１３とそれ以外の場所で、全く差がないため、違和感が無く見栄えが良い。さらに、入力検出領域１３以外の場所には、発光部３１、３３や受光部３２、３４を設けないので、入力のための電力を供給する必要が無く、消費電力が少ない。
【産業上の利用可能性】
【００３０】
本発明の入力表示システム１０の用途は、特に制限はないが、双方向通信大型テレビや電子看板（digital signage）などに好適に用いられる。
【符号の説明】
【００３１】
１０      入力表示システム
１１      表示画面
１２      分割表示器
１３      入力検出領域
１４      赤外線送受モジュール
２１      メモリ
２２      データ入力部
２３      作成部
２４      命令入力部
２５      取出部
２６ａ  表示部
２６ｂ  表示部
３１      発光部
３２      受光部
３３      発光部
３４      受光部
３５      赤外線
３６      赤外線
５０      入力表示システム
５１      タッチパネル付大画面ディスプレイ
５２      入力検出領域
【図１】
2011129012.tif 000003
【図２】
2011129012.tif 000004
【図３】
2011129012.tif 000005
【図４】
2011129012.tif 000006
【図５】
2011129012.tif 000007